(57)【特許請求の範囲】
【請求項１】
バーナ(31)と、このバーナ(31)に燃焼用空気を供給する給気用ファン(7)を内蔵したファンケース(1)と、給気用ホース(4)と、前記ファンケース(1)と前記給気用ホース(4)とを連結する結合部品(18)とを備えた密閉式燃焼機器において、
前記ファンケース(1)の外側下部には前記給気用ファン(7)を駆動する給気用モータ(2)が取り付けられ、
このファンケース(1)には前記給気用モータ(2)に隣接して前記結合部品(18)が接続され、
前記結合部品(18)は、結合部(35)と円筒部(36)とから構成され、
この結合部品(18)は、前記円筒部(36)が前記結合部(35)の一側面に直交状に形成された形状で、合成樹脂にて一体形成してなり、この円筒部(36)とこの結合部(35)とは互いの内部が連通され、
前記結合部(36)は上方に開口する長方形の開口部(41)を有するとともに、前記開口部(41)の口溝に沿ってこの開口部(41)の周囲に位置するように前記結合部(35)の上端部分にはフランジ(43)が形成され、
このフランジ(43)の短辺側にはそれぞれネジ孔(44)が設けられ、
前記結合部品(18)の前記ファンケース(1)に密着される前記フランジ(43)と前記ファンケース(1)に形成された角孔(45)の周縁とを直結していることを特徴とする密閉式燃焼機器。
【請求項２】
前記結合部品(18)は円筒部(36)の外周にネジ山(N)を形成し、前記円筒部(36)と給気用ホース(4)の内周とをネジ込み接続することを特徴とする請求項１に記載の密閉式燃焼機器。
【発明の詳細な説明】
【０００１】
【発明の属する技術分野】
本発明は、屋外給排式石油温風暖房機等の密閉式燃焼機器に関する。
【０００２】
【従来の技術】
一般に、密閉式燃焼機器は、屋外の空気を取り入れ、この空気を燃焼用空気として燃料と混合させてバーナを燃焼させ、このバーナの燃焼排ガスは屋外へ排出させるものである。この空気の取入には、先端の給気口を屋外に突出させた給排気筒が用いられ、バーナの下部に配置された給気用ファンを作動させることにより、給排気筒の給気口、給気用ホースおよびファンケースを通してバーナに空気を供給している。
【０００３】
図４は従来のファンケースと給気用ホースとが結合部品を介して結合されている側面図である。１はファンケース、２は給気用モータ、３はＬ形結合部品、４は給気用ホースである。
【０００４】
ファンケース１は底面を有する円筒形をしており、この底面を形成する底板５の中央には給気用モータの軸を通す円孔６が形成されている。また、ファンケース１の内部には給気用ファン７が収容され、外側下部にこのファン７を駆動する給気用モータ２が取り付けられている。ファンケース１の底板５には給気用の孔１１が形成され、この孔１１に円筒形の接合部品１２がカシメられて下方に突出している。
【０００５】
給気用ホース４はラセン形の金属線が内包された可撓性ホースである。
【０００６】
Ｌ形結合部品３は略Ｌ字状に形成されていて、円筒形で両端が開口しており、一方の開口部１３の内周にはネジ溝が施されている。Ｌ形結合部品３は両開口部１３、１４が給気用ホース４とファンケース１の接合部品１２とにそれぞれ接続され両部品を連結しており、ネジ溝が施された開口部１３の内側に給気用ホース４をネジ込んで固定している。他方の開口部１４にはファンケース１の接合部品１２が嵌め込まれ、この接合部品１２とＬ形結合部品３とが重なる部分の外周に固定バンド１５を巻付けてネジ止め固定している。
【０００７】
このように、給気用ホース４とファンケース１とがＬ形結合部品３によって連結され、給気用ファン７が作動することにより、給排気筒の給気口（図示せず）から屋外空気が導入され、給気用ホース４およびファンケース１を通ってバーナケース内に燃焼用空気（屋外空気）が供給される。
【０００８】
【発明が解決しようとする課題】
ところで、ファンケース１と給気用ホース４との連結の際には、ファンケース１と接合部品１２とのカシメによる取付や接合部品１２とＬ形結合部品３との接続などの作業に手間がかかり、また、Ｌ形結合部品３の高さ寸法が大きくファンケース１の下方に大きく突出するので、製品に大きなスペースを必要とするといった問題があった。
【０００９】
本発明は上述のような従来の問題点を解消したものであり、ファンケースと給気用ホースとを簡単に接続でき、寸法を抑えた結合部品を用いて狭いスペース内に収まるような密閉式燃焼機器を提供することを目的とする。
【００１０】
【課題を解決するための手段】
上記目的を達成するために、請求項１の発明は、
バーナと、このバーナに燃焼空気を供給する給気用ファンを内蔵したファンケースと、給気用ホースと、ファンケースと給気用ホースとを連結する結合部品とを備えた密閉式燃焼機器において、前記結合部品は結合部と円筒部とから構成されているものである。
バーナと、このバーナに燃焼用空気を供給する給気用ファンを内蔵したファンケースと、給気用ホースと、ファンケースと給気用ホースとを連結する結合部品とを備えた密閉式燃焼機器において、
ファンケースの外側下部には給気用ファンを駆動する給気用モータが取り付けられ、
このファンケースには給気用モータに隣接して結合部品が接続され、
結合部品は、結合部と円筒部とから構成され、
この結合部品は、円筒部(36)が結合部の一側面に直交状に形成された形状で、合成樹脂にて一体形成してなり、この円筒部とこの結合部とは互いの内部が連通され、
結合部は上方に開口する長方形の開口部を有するとともに、開口部の口溝に沿ってこの開口部の周囲に位置するように結合部の上端部分にはフランジが形成され、
このフランジの短辺側にはそれぞれネジ孔が設けられ、
結合部品のファンケースに密着されるフランジとファンケースに形成された角孔(45)の周縁とを直結していることを特徴とする。
【００１１】
請求項２の発明は、請求項１に記載の密閉式燃焼機器において、記結合部品は円筒部の外周にネジ山を形成し、円筒部と給気用ホースの内周とをネジ込み接続することを特徴とするものである。
【００１２】
【発明の実施の形態】
以下、この発明の一実施形態を図面に基づいて説明する。図３は本発明の一実施形態における密閉式燃焼機器の側断面図である。なお、図４と同一の構成要素には同一の符号を付してその詳細な説明は省略する。
【００１３】
図３において、１０は燃焼機器としての温風暖房機、１６は給排気筒、４は給気用ホース、１７は排気管、１はファンケース、２は給気用モータ、１８は結合部品、２１はバーナケース、２２は燃焼筒、２３は熱交換パイプ、２４は温風ファンである。
【００１４】
給排気筒１６は外筒２５と内筒２６との二重構造になっており、外筒２５と内筒２６との間が給気経路２７、内筒２６の内側が排気経路２８になっている。給排気筒１６の先端に給気口３３と排気口３７とが設けられ、これら給気口３３と排気口３７は屋外に突出して配置されている。また、この給排気筒１６の屋内側の外周部分には給気用ホース４と排気管１７とが接続され端面が封鎖されている。給排気筒１６の給気経路２７と給気用ホース４とが連通され、屋外の空気を温風暖房機１０のファンケース１内に取り入れることができ、また、排気管１７と給排気筒１６の排気経路２８とが連通されることにより、温風暖房機１０の熱交換パイプ２３を通過した後の排気ガスを屋外に放出することができる。
【００１５】
ファンケース１にはバーナ３１に燃焼用空気を供給する給気用ファン７が収容され、その外側下部には給気用ファン７を駆動する給気用モータ２が取り付けられている。ファンケース１には給気用モータ２に隣接してファンケース１と給気用ホース４とを連結する結合部品１８が接続されている。
【００１６】
バーナケース２１には石油を気化して燃焼させるバーナ３１が収容され、バーナ３１の上部に燃焼筒２２が配設され、燃焼筒２２の横に熱交換パイプ２３が並設されている。燃焼筒２２と熱交換パイプ２３とは上部の連結ケース３２で連通され、熱交換パイプ２３の下端には排気管１７が接続されている。
【００１７】
暖房運転が開始されると、給気用モータ２の駆動により給気用ファン７が回転し、給排気筒１６の給気口３３から給排気筒１６、給気用ホース４、結合部品１８を通して燃焼用空気（屋外空気）がファンケース１内に取り込まれ、バーナ３１に供給される。バーナ３１の燃焼開始により、燃焼炎が燃焼筒２２内で形成され、発生した燃焼ガスが連結ケース３２を通して熱交換パイプ２３に送られる。このとき燃焼筒２２および熱交換パイプ２３の後方から温風ファン２４で送風されており、燃焼によって温められた空気が前方の温風吹出口３４から室内に送り出されて暖房が行われる。熱交換パイプ２３内の燃焼ガスは排気ガスになって排気管１７、給排気筒１６を通って屋外に放出される。
【００１８】
図１は本発明の一実施形態における結合部品とファンケースと給気用ホースとを示した分解斜視図である。
【００１９】
１８は結合部品、１はファンケース、４は給気用ホースであり、前記結合部品１８は箱形の結合部３５とこの結合部３５の側面に直交状に形成された円筒部３６とを合成樹脂にて一体成形してなり、これら円筒部３６と結合部３５とは互いの内部が連通されている。前記結合部３５は上方に開口する長方形の開口部４１を有するとともに、この開口部４１の周囲に位置するように結合部３５の上端部分にはフランジ４３が形成され、このフランジ４３の短辺側にはそれぞれネジ孔４４が設けられ、さらにこのフランジ４３はシール用のパッキン４７を介してファンケース１に密着する。４２はフランジ４３よりも上方に突出するように開口部４１の口溝に沿って形成されたガイドである。また、前記円筒部３６の外周にはネジ山Ｎが形成されている。
【００２０】
ファンケース１は底面を有する円筒形をしており、底面を形成する底板５に長方形の角孔４５と、この角孔４５の両短辺の近傍にそれぞれ前記のフランジ取付用のネジが螺合するネジ孔４６が形成されている。角孔４５は結合部品１８のガイド４２の外周が嵌まる寸法に形成され、ネジ孔４６間の間隔は結合部品１８のネジ孔４４間の間隔と同一である。
【００２１】
給気用ホース４はラセン状の金属線が内包された円筒形の可撓性ホースである。
【００２２】
結合部品１８とファンケース１とは、シール用のパッキン４７を介して結合部品１８のガイド４２がファンケース１の角孔４５に嵌められ、フランジ４３のネジ孔４４から角孔４５の両側のネジ孔４６にネジ止め固定される。結合部品１８と給気用ホース４とは、円筒部３６のネジ山Ｎに給気用ホース４のラセン形状を利用してネジ込んで接続されている。このように、給気用ホース４とファンケース１とが結合部品１８を介して空気の漏れのない連結がなされている。
【００２３】
以上のように、ファンケース１と結合部品１８との連結に際し、従来のように、ファンケース１と接合部品１２とをカシメ接続する等の面倒な作業がなくなって、作業内容の簡略化が図れる。また、ファンケース１に接合部品１２をカシメ接続した後、接合部品１２とＬ形結合部品３とを接続し、さらに、固定バンド１５で固定するといった接続に比べ、ファンケース１と結合部品１８とが簡単にネジ止め接続できるので、作業項目が少なくなり、作業時間の短縮が図れる。
【００２４】
また、従来のＬ形結合部品３の内周にネジ溝を形成するものに比べ、結合部品１８の外周にネジ山Ｎを形成するので、ネジ部の成形が容易にでき製造し易いものとすることができる。
【００２５】
図２はファンケース１と給気用ホース４とが本発明の結合部品１８によって組み付けられた状態を示す一部切欠側面図である。ファンケース１の底板５に取り付けられた結合部品１８の下方への突出寸法が、給気用モータ２の突出寸法と略同一となっている。結合部品１８を箱型の結合部３５とこの結合部３５の一側面に直交状に一体成形した円筒部３６とによって構成したことにより、給気用ホースが接続される円筒部３６をファンケース１の底面５に接近させた状態で結合部品１８をファンケース１に接続でき、結合部品１８の上下方向の寸法を給気用ホースの直径に近い値まで短くできる。そのため、ファンケース１から下方へ突出する結合部品１８の突出寸法を給気用モータ２の突出寸法と略同等に抑えることができ、ファンケース１の下方の空間を従来よりも狭くすることが可能となって、温風暖房機１０本体の高さ寸法を低くできて小型化が図れる。
【００２６】
以上、一実施形態に基づいて本発明を説明したが、本発明はこれに限定されるものではない。本実施形態では結合部品１８の結合部３５を箱形に形成しているが、上部に開口部４１が設けられ、内部を通過する空気量が確保されていれば箱形でなくても断面がＵ字形状、多角形状や他の形状であっても良い。また、開口部４１の形状も長方形に限らず長円形、多角形やその他の形状であっても良い。
【００２７】
【発明の効果】
以上説明したように、本発明によれば、ファンケースと給気用ホースとを連結する結合部品を、結合部と円筒部とで構成したことにより、ファンケースと給気用ホースとの接続が簡単となせるとともに、ファンケースの下方空間を狭くすることが可能となり、機器本体の高さ寸法を低くできて小型化が図れる。
【図面の簡単な説明】
【図１】  本発明の一実施形態における結合部品とファンケースと給気用ホースとを示した分解斜視図である。
【図２】  図１の部品が組み付けられた状態で一部を切り欠いて示した側面図である。
【図３】  図１の部品が組み込まれた状態を示す温風暖房機の側断面図である。
【図４】  従来例を示す一部切欠の要部側面図である。
【符号の説明】
１  ファンケース
２  給気用モータ
４  給気用ホース
５  ファンケースの底板
７  給気用ファン
１０  温風暖房機
１１  給気用の孔
１２  接合部品
１６  給排気筒
１７  排気管
１８  結合部品
２１  バーナケース
２２  燃焼筒
２３  熱交換パイプ
２４  温風ファン
２５  外筒
２６  内筒
２７  給気経路
２８  排気経路
３１  バーナ
３３  給排気筒の給気口
３５  結合部
３６  円筒部
４１  開口部
４２  ガイド
４３  フランジ（当たり面）
４５  ファンケースの角孔（給気孔）
４７  パッキン
Ｎ  ネジ山
【図１】
0004131601.tif 000002
【図２】
0004131601.tif 000003
【図３】
0004131601.tif 000004
【図４】
0004131601.tif 000005